(57)【要約】【課題】広い範囲でヘッドの重心位置などを調整することができ、もって使い勝手が良好なゴルフ用パターを提供する。【解決手段】シャフトの一端にヘッドを有するとともに他端にグリップを有するゴルフ用パターにおいて、ヘッドは、シャフトに連結される連結部および打球面を備えるフェース部分と、フェース部分の裏面側に着脱自在かつ選択的に装着される複数のヘッド後方部分とを有する。複数のヘッド後方部分は、重心深度、重心高、慣性モーメントおよび形状よりなる仕様項目のうち一部または全部が互いに異なるように設定されている。複数のヘッド後方部分は、そのトウ・ヒール方向の長さ寸法がフェース部分のトウ・ヒール方向の長さ寸法と同じに設定され、これと直交するヘッド前後方向の厚み寸法はヘッド後方部分のほうがフェース部分よりも大きく設定されている。【選択図】図１
0003144242.tif 000002
【実用新案登録請求の範囲】
【請求項１】
シャフトの一端にヘッドを有するとともに他端にグリップを有するゴルフ用パターにおいて、
前記ヘッドは、前記シャフトに連結される連結部および打球面を備えるフェース部分と、前記フェース部分の裏面側に着脱自在かつ選択的に装着される複数のヘッド後方部分とを有し、
前記複数のヘッド後方部分は、重心深度、重心高、慣性モーメントおよび形状よりなる仕様項目のうち一部または全部が互いに異なるように設定されていることを特徴とするゴルフ用パター。
【請求項２】
請求項１記載のゴルフ用パターにおいて、
複数のヘッド後方部分はそれぞれ、そのトウ・ヒール方向の長さ寸法がフェース部分のトウ・ヒール方向の長さ寸法と同じに設定され、これと直交するヘッド前後方向の厚み寸法はヘッド後方部分のほうがフェース部分よりも大きく設定されていることを特徴とするゴルフ用パター。
【請求項３】
請求項１または２記載のゴルフ用パターにおいて、
ヘッド後方部分を着脱自在に連結するフェース部分の裏面は打球面と平行な平面よりなり、前記平面上に連結位置決め用の凸部が複数設けられ、前記凸部に対応する凹部が前記ヘッド後方部分にそれぞれ設けられていることを特徴とするゴルフ用パター。
【請求項４】
請求項１ないし３の何れかに記載のゴルフ用パターにおいて、
フェース部分と複数のヘッド後方部分はそれぞれネジにより着脱自在に連結されることを特徴とするゴルフ用パター。
【請求項５】
請求項１ないし４の何れかに記載のゴルフ用パターにおいて、
複数のヘッド後方部分にそれぞれ、小型のウエイト部品を追加する構造が設けられていることを特徴とするゴルフ用パター。
【請求項６】
請求項１ないし５の何れかに記載のゴルフ用パターにおいて、
複数のヘッド後方部分は、キャディーバックに取り付ける収納ケースにまとめて収納されることにより保管および搬送されることを特徴とするゴルフ用パター。
【考案の詳細な説明】
【技術分野】
【０００１】
本考案は、ゴルフ競技に用いられるゴルフ用パターに関するものである。
【背景技術】
【０００２】
ゴルフのパッティングとは、プレーヤーが主にグリーンに載ったボールをパターによってカップ（ホール）にめがけて打ち出すプレーであり、様々な芝目や傾斜が設けられたグリーン上で正確な距離と方向性を得るために、ストロークの際には微妙なタッチが要求される。
【０００３】
そこで、従来、図１１に示すように、パターヘッドに小型のウエイト部品を追加する構造が提案されており、すなわち、パターヘッド７１の周囲とネックに複数のネジ孔７２を設け、使用者がこれらのネジ孔７２に選択的に重いボルトあるいは軽いボルト７３をねじ込むことにより、前後、左右、上下に重心位置およびヘッド部分の重量を調整できるようにした構造が提案されている（特許文献１参照）。
【０００４】
しかしながら、この従来技術では、重いにしても軽いにしても絶対的に小型軽量の部品であるボルト７３をねじ込むことによってヘッド７１の重心位置や重量を調整するものであるために、調整可能な範囲がごく狭い範囲に限られると云う不都合がある。
【０００５】
【特許文献１】特開２００１−１３７４００号公報
【考案の開示】
【考案が解決しようとする課題】
【０００６】
本考案は以上の点に鑑みて、比較的広い範囲でヘッドの重心位置などを調整することができ、もって使い勝手が良好なゴルフ用パターを提供することを目的とする。
【課題を解決するための手段】
【０００７】
上記目的を達成するため、本考案の請求項１によるゴルフ用パターは、シャフトの一端にヘッドを有するとともに他端にグリップを有するゴルフ用パターにおいて、前記ヘッドは、前記シャフトに連結される連結部および打球面を備えるフェース部分と、前記フェース部分の裏面側に着脱自在かつ選択的に装着される複数のヘッド後方部分とを有し、前記複数のヘッド後方部分は、重心深度、重心高、慣性モーメントおよび形状よりなる仕様項目のうち一部または全部が互いに異なるように設定されていることを特徴とするものである。
【０００８】
また、本考案の請求項２によるゴルフ用パターは、上記した請求項１記載のゴルフ用パターにおいて、複数のヘッド後方部分はそれぞれ、そのトウ・ヒール方向の長さ寸法がフェース部分のトウ・ヒール方向の長さ寸法と同じに設定され、これと直交するヘッド前後方向の厚み寸法はヘッド後方部分のほうがフェース部分よりも大きく設定されていることを特徴とするものである。
【０００９】
また、本考案の請求項３によるゴルフ用パターは、上記した請求項１または２記載のゴルフ用パターにおいて、ヘッド後方部分を着脱自在に連結するフェース部分の裏面は打球面と平行な平面よりなり、前記平面上に連結位置決め用の凸部が複数設けられ、前記凸部に対応する凹部が前記ヘッド後方部分にそれぞれ設けられていることを特徴とするものである。
【００１０】
また、本考案の請求項４によるゴルフ用パターは、上記した請求項１ないし３の何れかに記載のゴルフ用パターにおいて、フェース部分と複数のヘッド後方部分はそれぞれネジにより着脱自在に連結されることを特徴とするものである。
【００１１】
また、本考案の請求項５によるゴルフ用パターは、上記した請求項１ないし４の何れかに記載のゴルフ用パターにおいて、複数のヘッド後方部分にそれぞれ、小型のウエイト部品を追加する構造が設けられていることを特徴とするものである。
【００１２】
更にまた、本考案の請求項６によるゴルフ用パターは、上記した請求項１ないし５の何れかに記載のゴルフ用パターにおいて、複数のヘッド後方部分は、キャディーバックに取り付ける収納ケースにまとめて収納されることにより保管および搬送されることを特徴とするものである。
【００１３】
上記構成を有する本考案のゴルフ用パターにおいては、その構成要素であるヘッドが、シャフトに連結される連結部および打球面を備えるヘッド前後方向（打球面を前面とする）前半のフェース部分と、このフェース部分の裏面側に着脱自在に装着されるヘッド前後方向後半のヘッド後方部分とに分けられ、ヘッド後方部分は複数が備えられ、複数のヘッド後方部分は、重心深度、重心高、慣性モーメントまたは／および形状が互いに異なるように設定されている。使用者は、複数のヘッド後方部分のなかから今回使用するものを選定し、フェース部分に組み付け、プレーに臨むことになる。フェース部分は、他端にグリップを設けたシャフトの一端に予め取り付けられるので、シャフトおよびグリップとともに常に使用される。したがって以上のようにヘッドが大きく前後に２分割され、その一方を交換することによって重心深度などを調整するものとされているために、小型のウエイト部品を追加する場合と比較して広い範囲で重心深度などを調整することが可能とされている。
【００１４】
尚、複数のヘッド後方部分はそれぞれ一例として、そのトウ・ヒール方向の長さ寸法がフェース部分のトウ・ヒール方向の長さ寸法と同じに設定され、これと直交するヘッド前後方向の厚み寸法についてはヘッド後方部分のほうがフェース部分よりも大きく設定されるものである。したがってヘッド後方部分は小型のウエイト部品と比較して格段に大型の部品である。
【００１５】
また、このように大型の部品であるヘッド後方部分をフェース部分に着脱自在に連結する構造としては、フェース部分の裏面を打球面と平行な平面とし、この平面上に連結位置決め用の凸部を複数設け、この凸部に対応する凹部をヘッド後方部分に設けることにする。またフェース部分とヘッド後方部分をネジにより着脱自在に連結することにする。このような構造であれば、フェース部分裏面の平面にヘッド後方部分を当て、凸部と凹部で位置合わせし、ネジを締め付けるだけの簡単な手順によって両部品を連結することができる。
【００１６】
ヘッド後方部分には小型のウエイト部品を追加することにより重心位置や重量などを微調整するようにしても良い。
【００１７】
また、ヘッド後方部分は複数備えられ、選択的に使用されるので、その散逸などを防止するため、保管や搬送などの取り扱いに工夫を必要とする。そこで本考案では、複数のヘッド後方部分をキャディーバックに取り付ける収納ケースにまとめて収納することにし、これにより散逸などを防止することにした。
【考案の効果】
【００１８】
以上説明したように本考案によれば、ヘッドが大きく前後に２分割され、その一方のヘッド後方部分を交換することによって重心深度などを調整するものとしたために、比較的広い範囲で重心深度などを調整することができる。また、フェース部分とヘッド後方部分とを簡単な手順によって連結することができ、重心位置や重量などを微調整することができ、保管や搬送などの取り扱いに便宜を供することができる。
【考案を実施するための最良の形態】
【００１９】
本考案には、以下の実施形態が含まれる。
（１）本考案は、ゴルフ用パターに関し、特にヘッドの形状を変更することができるようにしたゴルフ用パターに関するものであり、様々な芝目や傾斜、その日のパター使用者の調子や気分などでの変化を、一つのパターでラウンド前に形状を変えることで対応できるようにすることを課題とする。
（２）上記課題解決のため、シャフトの一端にヘッドを有し、他端にグリップを有するゴルフ用パターにおいて、前記ヘッドは、シャフトとフェース面がついたパーツとバックのパーツが特殊な工具により取り外しができる構造とする。
（３）また、フェースとシャフトとグリップは同一のパーツで、フェース部分と繋がるバック形状を取り替えることができる構造とする。取り替えられるパーツにはそれぞれの特性を持たせ、重心深度、重心高、慣性モーメント、形状などが異なるパーツとする。
（３）また、打感を重視したフェース素材に対し、軽量素材を使用し重量設計が可能な形状にすることで特性を出すことができる。
（４）取り付けるネジは、簡易的に取り外しができないような特殊工具によって交換できる構造（ヘキサロビュラなど）とする。
（５）以上の構成によれば、異なる特性を持つパーツを変えられることで、いつもと変わらないフェース（打感）、シャフト（ストロークのフィーリング）、グリップ（感触）で、その日のグリーンの状態や気分でラウンド前に簡易的に交換できる。
【実施例】
【００２０】
つぎに本考案の実施例を図面にしたがって説明する。
【００２１】
図１に示すように、当該実施例に係るゴルフ用パターは、シャフト１の一端にヘッド２を有するとともにシャフト１の他端にグリップ（図示せず）を有するものであって、このうちヘッド２は、シャフト１に連結される連結部４および打球面５を備えるフェース部分３と、このフェース部分３の裏面側に着脱自在かつ選択的に装着される複数（図では３つ）のヘッド後方部分１１，２１，３１とを有し、後者の複数のヘッド後方部分１１，２１，３１は、重心深度、重心高、慣性モーメントおよび形状よりなる仕様項目のうち一部または全部が互いに異なるように設定されている。連結部４としては、中軸を有するオーバーホーゼルタイプが図２以下に示されているが、外筒を有するインナーホーゼルタイプであっても良い。
【００２２】
複数のヘッド後方部分１１，２１，３１のうち、第１のヘッド後方部分１１は図２および図３に示す形状を有し、以下のコンセプトのもとに設計されている。
【００２３】
すなわち、重心深度は浅く、操作性・フィーリングを重視したモデル。早いグリーンや難しいアンジュレーションでの繊細なタッチを出したいときに最適。トウ・ヒールに配分された重量で、スイートスポットを広げている。
【００２４】
また、この第１のヘッド後方部分１１の重心深度は１１．５ｍｍ（または１１ｍｍ）に設定され、慣性モーメントは３５００ｃｍ２−ｇ（または３６００ｃｍ２−ｇ）に設定されている。
【００２５】
複数のヘッド後方部分１１，２１，３１のうち、第２のヘッド後方部分２１は図４および図５に示す形状を有し、以下のコンセプトのもとに設計されている。
【００２６】
すなわち、マレット型ならではの構えやすさで安心感がある。深重心化も図りつつトウ＆ヒールにも配分した重量設計で転がりが良く、ミスヒット時のバラつきを軽減。曲線をイメージしたフォルムで神経質にならずアドレスし易い。
【００２７】
また、この第２のヘッド後方部分２１の重心深度は１５ｍｍ（または１４ｍｍ）に設定され、慣性モーメントは３９００ｃｍ２−ｇ（または４０００ｃｍ２−ｇ）に設定されている。
【００２８】
複数のヘッド後方部分１１，２１，３１のうち、第３のヘッド後方部分３１は図６および図７に示す形状を有し、以下のコンセプトのもとに設計されている。
【００２９】
すなわち、重心深度は深く、転がりの良い設計。遅いグリーンやロングパットに最適。Ｔ字型の形状が視覚的に方向性を高め、スムーズなストロークの支援となり、安定した方向性。慣性モーメントも高く、ミスヒットにも強い。
【００３０】
また、この第３のヘッド後方部分３１の重心深度は１６ｍｍ（または１５．５ｍｍ）に設定され、慣性モーメントは４２００ｃｍ２−ｇ（または４４００ｃｍ２−ｇ）に設定されている。
【００３１】
上記第１ないし第３のヘッド後方部分１１，２１，３１に共通する事項として、これらのヘッド後方部分１１，２１，３１はそれぞれ、そのトウ・ヒール方向の長さ寸法Ｌ１，Ｌ２，Ｌ３がフェース部分３のトウ・ヒール方向の長さ寸法Ｌ０と同じに設定され、これと直交するヘッド前後方向の厚み寸法については、ヘッド後方部分１１，２１，３１の厚み寸法Ｗ１，Ｗ２，Ｗ３のほうがフェース部分３の厚み寸法Ｗ０よりも大きく設定されている。これら両方向と直交するヘッド高さ寸法についても、ヘッド後方部分１１，２１，３１の高さ寸法はフェース部分３の高さ寸法とほぼ同じに設定されている。したがって当該実施例に係るパターは上記従来技術のようにヘッド２に小型のウエイト部品を追加すると云ったものではなく、大きな部品を交換するものであるために、比較的広い範囲でヘッド２の重心位置などを調整することができる。
【００３２】
また、ヘッド後方部分１１，２１，３１を着脱自在に連結するフェース部分３の裏面６は打球面５と平行な平面とされ、この平面上に連結位置決め用の凸部７が複数（図では２箇所）設けられ、この凸部７に対応する凹部（図示せず）がヘッド後方部分１１，２１，３１にそれぞれ設けられている。
【００３３】
フェース部分３とヘッド後方部分１１，２１，３１はそれぞれ複数（図では２つ）のネジ４１により着脱自在に連結される構造とされ、このためヘッド後方部分１１，２１，３１にはそれぞれ貫通孔１２，２２，３２が設けられるとともにフェース部分３には上記凸部７に位置してネジ穴８が設けられている。
【００３４】
また、ヘッド後方部分１１，２１，３１にはそれぞれ、小型のウエイト部品４２を複数（図では２つ）着脱自在に追加する構造が設けられ、このためヘッド後方部分１１，２１，３１にはそれぞれ、ウエイト部品４２を取り付けるための取付穴１３，２３，３３が設けられている。ウエイト部品４２の材質はタングステンとされている。
【００３５】
また、図８に示すように、第１ないし第３のヘッド後方部分１１，２１，３１は、キャディーバック（図示せず）の外部に取り付けられる収納ケース４３に予備のネジ４１およびネジ回し冶具（ドライバー）４４とともに収納され、これによりまとめて保管および搬送されるものとされている。ケース４３は、フック４５でキャディーバックの外部に吊り下げられるもので、各収容品に見合った形状の収容凹部を有する内装体４６が、開閉蓋４８付きの外装体４７の内部に収容された構造とされている。
【００３６】
上記構成のゴルフ用パターによれば、ヘッド２が大きく前後に２分割され、その一方のヘッド後方部分１１，２１，３１を交換することによって重心深度などを調整するために、広い範囲で重心深度などを調整することができる。また、フェース部分３とヘッド後方部分１１，２１，３１とをネジ止めよりなる簡単な手順によって連結することができ、重心位置や重量などを小型のウエイト部品４２によって微調整することができる。また、専用の収納ケース４３を有することによって保管や搬送などの取り扱いに便宜を供することができる。
【００３７】
尚、ヘッド後方部分としては上記のものに限定されず、例えば図９または図１０に示すものであっても良い。図９に示す第４のヘッド後方部分５１の重心深度は１６ｍｍ（または１３．５ｍｍ）に設定され、慣性モーメントは４１００ｃｍ２−ｇ（または４３００ｃｍ２−ｇ）に設定されている。また、図１０に示す第５のヘッド後方部分６１の重心深度は１５ｍｍ（または１４ｍｍ）に設定され、慣性モーメントは４３００ｃｍ２−ｇ（または４４００ｃｍ２−ｇ）に設定されている。
【図面の簡単な説明】
【００３８】
【図１】本考案の実施例に係るゴルフ用パターの要部斜視図
【図２】同パターにおけるフェース部分および第１ヘッド後方部分の分解斜視図
【図３】同フェース部分および第１ヘッド後方部分の平面図
【図４】同パターにおけるフェース部分および第２ヘッド後方部分の分解斜視図
【図５】同フェース部分および第２ヘッド後方部分の平面図
【図６】同パターにおけるフェース部分および第３ヘッド後方部分の分解斜視図
【図７】同フェース部分および第３ヘッド後方部分の平面図
【図８】収納ケースの斜視図
【図９】第４ヘッド後方部分の平面図
【図１０】第５ヘッド後方部分の平面図
【図１１】従来例に係るゴルフ用パターの説明図
【符号の説明】
【００３９】
１  シャフト
２  ヘッド
３  フェース部分
４  連結部
５  打球面
６  裏面
７  凸部
８  ネジ穴
１１，２１，３１，５１，６１  ヘッド後方部分
１２，２２，３２  貫通孔
１３，２３，３３  取付穴
４１  ネジ
４２  ウエイト部品
４３  収納ケース
４４  ネジ回し冶具
４５  フック
４６  内装体
４７  外装体
４８  開閉蓋
【図１】
0003144242.tif 000003
【図２】
0003144242.tif 000004
【図３】
0003144242.tif 000005
【図４】
0003144242.tif 000006
【図５】
0003144242.tif 000007
【図６】
0003144242.tif 000008
【図７】
0003144242.tif 000009
【図８】
0003144242.tif 000010
【図９】
0003144242.tif 000011
【図１０】
0003144242.tif 000012
【図１１】
0003144242.tif 000013